(57)【特許請求の範囲】
【請求項１】
相対的に低温の水を利用する低温水利用部、及び、相対的に高温の水を利用する高温水利用部を有する水利用部と、
前記水利用部に供給される前の被利用水が流れる被利用水流路と、
前記被利用水流路の途中に設けられ、前記水利用部での需要に適した温度の被利用水を前記水利用部での利用のために提供する被利用水提供部と、
前記水利用部で利用された後の排水が流れる排水流路と、
前記排水流路の途中に設けられ、排水を前処理膜を用いて浄化処理するための第１処理部及び当該第１処理部で浄化処理された後の排水を逆浸透膜を用いて更に浄化処理するための第２処理部を有する浄化処理部と、
前記浄化処理部での浄化処理により得られる逆浸透膜透過水が被利用水としてリサイクルされ、前記被利用水提供部を経由して前記水利用部に供給されるときに流れる、前記被利用水流路の一部としてのリサイクル水流路と、
前記被利用水提供部に供給される前の前記リサイクル水流路を流れる被利用水としての逆浸透膜透過水と前記第２処理部よりも上流側の前記排水流路を流れる排水との間で熱交換を行う熱交換部と、を備え、
前記被利用水提供部は、前記被利用水流路の一部である第１流路から供給される被利用水と前記被利用水流路の一部である第２流路としての前記リサイクル水流路から供給される被利用水とが混合された状態で貯えられる受槽と、前記受槽に貯えられている被利用水が前記低温水利用部へ供給されるときに通る低温側流路と、前記受槽に貯えられている被利用水が前記高温水利用部へ供給されるときに通る高温側流路と、前記高温側流路の途中に設けられて被利用水を昇温させる昇温部と、前記リサイクル水流路から供給される被利用水が前記受槽を迂回して前記昇温部よりも上流側の前記高温側流路へ加えられるときに通るバイパス流路とを有する排水リサイクルシステム。
【請求項２】
前記浄化処理部の前記第１処理部の耐熱温度は前記第２処理部の耐熱温度よりも高く、
前記熱交換部は、前記第１処理部よりも下流側であり且つ前記第２処理部よりも上流側の前記排水流路を流れる排水と、前記被利用水提供部に供給される前の前記リサイクル水流路を流れる被利用水としての逆浸透膜透過水との間で熱交換を行う請求項１に記載の排水リサイクルシステム。
【請求項３】
前記排水流路の途中の、前記熱交換部よりも下流側であり且つ前記第２処理部よりも上流側に、排水を冷却する冷却部を備える請求項１又は２に記載の排水リサイクルシステム。
【請求項４】
前記浄化処理部の前記第１処理部の耐熱温度は前記第２処理部の耐熱温度よりも高く、
前記冷却部は、前記排水流路の途中の、前記第１処理部よりも下流側であり且つ前記第２処理部よりも上流側に設けられる請求項３に記載の排水リサイクルシステム。
【請求項５】
前記冷却部は、前記被利用水提供部に供給される前の前記被利用水流路の前記第１流路を流れる被利用水と、前記排水流路を流れる排水との間で熱交換を行うことで、排水を冷却する請求項３又は４に記載の排水リサイクルシステム。
【請求項６】
前記被利用水提供部に供給される前の前記被利用水流路の前記第１流路を流れる被利用水と前記浄化処理部よりも下流側の前記排水流路を流れる排水との間で熱交換を行うことで、当該排水からの熱回収を行う熱回収部を備える請求項１〜５の何れか一項に記載の排水リサイクルシステム。
【請求項７】
前記リサイクル水流路の途中に、前記浄化処理部での浄化処理により得られる逆浸透膜透過水が、前記熱交換部を迂回して前記被利用水提供部に供給されるときに通る熱交換迂回路を備える請求項１〜６の何れか一項に記載の排水リサイクルシステム。
【発明の詳細な説明】
【技術分野】
【０００１】
本発明は、排水を浄化処理した後で再利用する排水リサイクルシステムに関する。
【背景技術】
【０００２】
供給する水の温度を調節し、その水を水利用部で利用させることが広く行われている。例えば、井水や市水などの被利用水の供給を受けて、相対的に低温の水を利用する低温水利用部に対しては、供給されたままの温度の被利用水を供給し、相対的に高温の水を利用する高温水利用部に対しては、昇温を行った後の被利用水を供給することが行われる。一例を挙げると、繊維を染色する工場等では、染料を加えた例えば９５℃程度の水（高温の被利用水）を用いて染色を行う高温水利用部と、染色後の繊維を水（低温の被利用水）で洗浄する低温水利用部とがある。そして、このような低温水利用部で利用された低温の被利用水及び高温水利用部で利用された高温の被利用水は混合されて排出されることが多い。
尚、水の有効利用の観点から考えると、水利用部で利用された後の被利用水に対して浄化処理を行った上で再利用することが好ましい。
【０００３】
特許文献１には、排水を浄化処理する浄化処理装置が記載されている。この浄化処理装置は、原水（５０）を固液分離する固液分離装置（３）と、固液分離装置（３）の分離水（６０）を透過水（７０）と濃縮水（８０）に分離する膜モジュール（６）とを有し、浄化処理により得られた透過水（７０）を再利用する。固液分離装置（３）は、例えば、精密ろ過膜（ＭＦ膜）や限外ろ過膜（ＵＦ膜）などの分離膜を有する。また、膜モジュール（６）は、例えば、逆浸透膜（ＲＯ膜）やナノろ過膜（ＮＦ膜）などの分離膜を有する。
【０００４】
以上のように、水利用部の下流側に浄化処理装置を設け、その浄化処理された後の水が水利用部に再び供給されるような排水リサイクルシステムを構築すれば、その浄化処理された後の水を適宜昇温するなどして、その水利用部で再利用することもできる。
尚、リサイクルされた水を再び高温水利用部に供給して、高温水利用部での利用のためにエネルギーを消費して昇温する必要があることを考慮すると、熱利用部からの排水を、出来るだけ高い温度のままで高温水利用部へと供給することが好ましい。
【先行技術文献】
【特許文献】
【０００５】
【特許文献１】特開２００３−１５４３６２号公報
【発明の概要】
【発明が解決しようとする課題】
【０００６】
上述したＲＯ膜を用いた機器の耐熱温度は比較的低温（例えば４５℃など）である。従って、水利用部で利用された後の排水の温度がその耐熱温度よりも高い場合、ＲＯ膜が正常に機能せず、排水の浄化処理を適切に行うことができないという問題が起こり得る。
尚、水利用部で利用された後の排水を、上述した耐熱温度よりも低い温度にまで冷却すれば、ＲＯ膜を正常に機能させることができる。しかし、排水を冷却して温度を低下させてしまうと、水をリサイクルした後、高温水利用部での利用のために更に大きなエネルギーを消費して水を昇温しなければならず、エネルギー効率が低下するという問題がある。
【０００７】
本発明は、上記の課題に鑑みてなされたものであり、その目的は、エネルギー効率の高い排水リサイクルシステムを提供する点にある。
【課題を解決するための手段】
【０００８】
上記目的を達成するための本発明に係る排水リサイクルシステムの特徴構成は、相対的に低温の水を利用する低温水利用部、及び、相対的に高温の水を利用する高温水利用部を有する水利用部と、
前記水利用部に供給される前の被利用水が流れる被利用水流路と、
前記被利用水流路の途中に設けられ、前記水利用部での需要に適した温度の被利用水を前記水利用部での利用のために提供する被利用水提供部と、
前記水利用部で利用された後の排水が流れる排水流路と、
前記排水流路の途中に設けられ、排水を前処理膜を用いて浄化処理するための第１処理部及び当該第１処理部で浄化処理された後の排水を逆浸透膜を用いて更に浄化処理するための第２処理部を有する浄化処理部と、
前記浄化処理部での浄化処理により得られる逆浸透膜透過水が被利用水としてリサイクルされ、前記被利用水提供部を経由して前記水利用部に供給されるときに流れる、前記被利用水流路の一部としてのリサイクル水流路と、
前記被利用水提供部に供給される前の前記リサイクル水流路を流れる被利用水としての逆浸透膜透過水と前記第２処理部よりも上流側の前記排水流路を流れる排水との間で熱交換を行う熱交換部と、を備え、
前記被利用水提供部は、前記被利用水流路の一部である第１流路から供給される被利用水と前記被利用水流路の一部である第２流路としての前記リサイクル水流路から供給される被利用水とが混合された状態で貯えられる受槽と、前記受槽に貯えられている被利用水が前記低温水利用部へ供給されるときに通る低温側流路と、前記受槽に貯えられている被利用水が前記高温水利用部へ供給されるときに通る高温側流路と、前記高温側流路の途中に設けられて被利用水を昇温させる昇温部と、前記リサイクル水流路から供給される被利用水が前記受槽を迂回して前記昇温部よりも上流側の前記高温側流路へ加えられるときに通るバイパス流路とを有する点にある。
【０００９】
上記特徴構成によれば、第１流路から供給される被利用水と第２流路（リサイクル水流路）から供給される被利用水（浄化処理部で浄化処理された後の逆浸透膜透過水）とが受槽で一時的に貯えられた上で、低温側流路及び高温側流路を介して水利用部へと供給される。つまり、リサイクル水流路から帰還する被利用水がある場合には、その被利用水を有効に再利用することができ、且つ、リサイクル水流路から帰還する被利用水がない場合であっても、第１流路から供給される被利用水を水利用部へと供給することができる。その結果、システム外へ排出する水量を減少させることができると共に、第１流路から新たにシステム内に供給される水量を減少させることができる。
【００１０】
加えて、熱交換部において、逆浸透膜を用いる第２処理部よりも上流側の排水流路を流れる排水と、被利用水提供部に供給される前のリサイクル水流路を流れる逆浸透膜透過水（被利用水）との間での熱交換が行われる。つまり、水利用部で利用された後の排水の温度が高い場合であっても、その排水は、逆浸透膜を用いる第２処理部での浄化処理に供される前に、この熱交換部で冷却される（即ち、リサイクル水流路を流れる逆浸透膜透過水（被利用水）へと熱が渡される）ことになる。その結果、逆浸透膜を用いる第２処理部へは、温度が低下された後の排水が供給されることになるため、逆浸透膜が正常に機能することを期待できる。更に、水利用部で利用された後の排水が保有していた熱は、熱交換部において廃棄されるのではなく、リサイクル水流路を流れる逆浸透膜透過水（被利用水）へと渡される。言い換えると、リサイクル水流路を流れる逆浸透膜透過水（被利用水）は、この熱交換部で予熱された上で被利用水提供部へと供給される。その結果、その逆浸透膜透過水（被利用水）を、被利用水提供部の昇温部で昇温するときに要するエネルギーを小さくすることができる。
【００１１】
尚、第２流路（リサイクル水流路）から供給される被利用水（浄化処理部で浄化処理された後の逆浸透膜透過水）の温度が高くても、受槽において、第１流路から供給される被利用水と混合されてしまうと、その高温状態の被利用水を利用できなくなる。
ところが本特徴構成では、排水リサイクルシステムが有する被利用水提供部は、リサイクル水流路から供給される逆浸透膜透過水（被利用水）が、受槽を迂回して昇温部よりも上流側の高温側流路へ加えられるときに通るバイパス流路とを有する。つまり、リサイクル水流路から供給される逆浸透膜透過水（被利用水）は、バイパス流路を通ると、第１流路から供給される被利用水と受槽で混合されることなく、リサイクル水流路から供給されたときの温度のままで、昇温部よりも上流側の高温側流路へ加えられる。その結果、上述したような受槽での温度低下を経ることなく、リサイクル水流路から被利用水提供部へと供給される高温状態の逆浸透膜透過水（被利用水）を有効に利用できる。
従って、エネルギー効率の高い排水リサイクルシステムを提供できる。
【００１２】
本発明に係る排水リサイクルシステムの別の特徴構成は、前記浄化処理部の前記第１処理部の耐熱温度は前記第２処理部の耐熱温度よりも高く、
前記熱交換部は、前記第１処理部よりも下流側であり且つ前記第２処理部よりも上流側の前記排水流路を流れる排水と、前記被利用水提供部に供給される前の前記リサイクル水流路を流れる被利用水としての逆浸透膜透過水との間で熱交換を行う点にある。
【００１３】
上記特徴構成によれば、水利用部で利用された後の排水は、第１処理部で浄化処理された後で熱交換部での熱交換に供され、更に第２処理部での浄化処理に供される。つまり、水利用部で利用された後の排水の温度が高い場合であっても、その排水は、逆浸透膜を用いる第２処理部での浄化処理に供される前に、熱交換部で冷却されることになる。
この場合、第１処理部に供給される排水は、熱交換部で冷却される前の排水であるが、第１処理部の耐熱温度は第２処理部の耐熱温度よりも高いため、第１処理部が熱によって悪影響を受ける可能性は相対的に低い。更に、前処理膜は、通常、温度が高くなるにつれて水の粘度の影響により浄化処理性能が向上する（例えば、膜面積当たりの透過水量が多くなる）ので、排水を冷却せずに第１処理部に供給することで、第１処理部での浄化処理性能が向上することを期待できる。
【００１４】
本発明に係る排水リサイクルシステムの更に別の特徴構成は、前記排水流路の途中の、前記熱交換部よりも下流側であり且つ前記第２処理部よりも上流側に、排水を冷却する冷却部を備える点にある。
【００１５】
上記特徴構成によれば、排水を冷却する冷却部を、排水流路の途中の、熱交換部よりも下流側であり且つ第２処理部よりも上流側に備えることで、第２処理部に供給される排水をより確実に冷却することができる。
【００１６】
本発明に係る排水リサイクルシステムの更に別の特徴構成は、前記浄化処理部の前記第１処理部の耐熱温度は前記第２処理部の耐熱温度よりも高く、
前記冷却部は、前記排水流路の途中の、前記第１処理部よりも下流側であり且つ前記第２処理部よりも上流側に設けられる点にある。
【００１７】
上記特徴構成によれば、排水を冷却する冷却部を、第１処理部よりも下流側であり且つ第２処理部よりも上流側に備えることで、第２処理部に供給される排水をより確実に冷却することができる。更に、耐熱温度がより高い第１処理部に供給される排水を、第２処理部に供給される排水よりも高温にさせる。前処理膜は、通常、温度が高くなるにつれて水の粘度の影響により浄化処理性能が向上する（例えば、膜面積当たりの透過水量が多くなる）ので、温度のより高い排水を第１処理部に供給することで、第１処理部での浄化処理性能が向上することを期待できる。
【００１８】
本発明に係る排水リサイクルシステムの更に別の特徴構成は、前記冷却部は、前記被利用水提供部に供給される前の前記被利用水流路の前記第１流路を流れる被利用水と、前記排水流路を流れる排水との間で熱交換を行うことで、排水を冷却する点にある。
【００１９】
上記特徴構成によれば、排水流路を流れる排水が冷却部で冷却されるとき、排水流路を流れる排水が保有していた熱は廃棄されるのではなく、被利用水提供部に供給される前の被利用水流路の第１流路を流れる被利用水に渡される。そして、熱を受け取った、被利用水流路の第１流路を流れる被利用水は受槽に供給され、必要に応じて水利用部で利用されることになる。その結果、排水流路を流れる排水が保有していた熱を有効に利用することができる。
【００２０】
本発明に係る排水リサイクルシステムの更に別の特徴構成は、前記被利用水提供部に供給される前の前記被利用水流路の前記第１流路を流れる被利用水と前記浄化処理部よりも下流側の前記排水流路を流れる排水との間で熱交換を行うことで、当該排水からの熱回収を行う熱回収部を備える点にある。
【００２１】
上記特徴構成によれば、浄化処理部よりも下流側の排水流路を流れる排水が保有していた熱は廃棄されるのではなく、熱回収部において、被利用水提供部に供給される前の被利用水流路の第１流路を流れる被利用水に渡される。そして、熱を受け取った、被利用水流路の第１流路を流れる被利用水は受槽に供給され、必要に応じて水利用部で利用されることになる。その結果、浄化処理部よりも下流側の排水流路を流れる排水が保有していた熱を有効に利用することができる。
【００２２】
本発明に係る排水リサイクルシステムの更に別の特徴構成は、前記リサイクル水流路の途中に、前記浄化処理部での浄化処理により得られる逆浸透膜透過水が、前記熱交換部を迂回して前記被利用水提供部に供給されるときに通る熱交換迂回路を備える点にある。
【００２３】
熱交換部に流入する逆浸透膜透過水（被利用水）の温度が、熱交換部に流入する排水の温度よりも高いとき、逆浸透膜透過水（被利用水）は冷却された上で被利用水提供部へと供給されることになる。この場合、その逆浸透膜透過水（被利用水）を、被利用水提供部の昇温部で昇温するときに要するエネルギーが大きくなるという問題がある。
ところが本特徴構成の排水リサイクルシステムは、リサイクル水流路の途中に、浄化処理部での浄化処理により得られる逆浸透膜透過水が、熱交換部を迂回して被利用水提供部に供給されるときに通る熱交換迂回路を備える。つまり、熱交換部に流入する逆浸透膜透過水（被利用水）の温度が、熱交換部に流入する排水の温度よりも高いとき、熱交換部を迂回して（即ち、冷却されずに）、逆浸透膜透過水（被利用水）を被利用水提供部へと供給することが可能となる。
【図面の簡単な説明】
【００２４】
【図１】第１実施形態の排水リサイクルシステムの構成を示す図である。
【図２】第２実施形態の排水リサイクルシステムの構成を示す図である。
【図３】第３実施形態の排水リサイクルシステムの構成を示す図である。
【図４】第４実施形態の排水リサイクルシステムの構成を示す図である。
【発明を実施するための形態】
【００２５】
＜第１実施形態＞
以下に図面を参照して第１実施形態の排水リサイクルシステムについて説明する。
図１は第１実施形態の排水リサイクルシステムの構成を示す図である。図示するように、排水リサイクルシステムは、水利用部４と、被利用水流路１と、被利用水提供部１５と、排水流路２と、浄化処理部１０と、リサイクル水流路３と、熱交換部９とを備える。この排水リサイクルシステムでは、浄化処理部１０での浄化処理により得られる清浄な逆浸透膜透過水はリサイクルされるが、浄化処理部１０よりも下流側の排水流路２を流れる排水（図１では、「濃縮水」と表記している）はシステム外へと排出される。そのため、濃縮水として排出される分の水が、排水リサイクルシステム内へと、即ち、被利用水流路１の第１流路１Ａから被利用水提供部１５の受槽５へと補給される。例えば、被利用水流路１の第１流路１Ａから補給される水は、井水、市水、工業用水などである。
【００２６】
被利用水流路１の途中には、水利用部４での需要に適した温度の被利用水を水利用部４での利用のために提供する被利用水提供部１５が設けられている。この被利用水流路１は、井水、市水、工業用水などの被利用水を供給する流路であり、季節によって異なるが、比較的低温の水（例えば１５℃など）が供給される。
【００２７】
水利用部４は、相対的に低温の水を利用する低温水利用部４ａ、及び、相対的に高温の水を利用する高温水利用部４ｂを有する。水利用部４には被利用水流路１が接続されており、水利用部４に供給される前の被利用水がこの被利用水流路１を流れる。また、水利用部４には排水流路２が接続されており、水利用部４で利用された後の排水がこの排水流路２を流れる。そして、水利用部４では、供給される被利用水が直接的に利用されると、被利用水が汚染されることもある。例えば、水利用部４が、繊維を染色する工場等である場合、染料を加えた例えば９５℃程度の水（高温の被利用水）を用いて染色を行う工程を行う高温水利用部４ｂと、染色後の繊維を水（低温の被利用水）で洗浄する工程を行う低温水利用部４ａとがある。そして、高温水利用部４ｂ及び低温水利用部４ａの双方で被利用水が汚染される。
【００２８】
浄化処理部１０は、排水流路２の途中に設けられる。そして、浄化処理部１０は、排水を前処理膜を用いて浄化処理するための第１処理部１０ａ及びその第１処理部１０ａで浄化処理された後の排水を逆浸透膜（ＲＯ膜）を用いて更に浄化処理するための第２処理部１０ｂを有する。第１処理部１０ａで用いられる前処理膜は、精密ろ過膜（ＭＦ膜）や限外ろ過膜（ＵＦ膜）やナノろ過膜（ＮＦ膜）などの分離膜である。第１処理部１０ａによって、ＲＯ膜が分離対象とするよりも相対的に大きな分離対象物（例えば約１ナノメートル以上の物質）が排水から分離される。これに対して、第２処理部１０ｂが用いるＲＯ膜は、例えば０．１ナノメートル以上の物質を排水から分離できる。その結果、ＲＯ膜を透過した水（本願では「逆浸透膜透過水」と表記することもある）に含まれる不純物の量は非常に少なくなる。
【００２９】
例えば、第１処理部１０ａが有する前処理膜として、酢酸セルロースを膜素材として用いたＵＦ膜の中空糸モジュールを採用することができる。この場合、第１処理部１０ａの耐熱温度は約４０℃とされている。他にも、第１処理部１０ａが有する前処理膜として、親水性ポリエーテルサルホン／ポリサルホンや再生セルロールやポリフッ化ビニリデンを膜素材として用いたＭＦ膜、ＵＦ膜、ＮＦ膜を採用することもできる。この場合、第１処理部１０ａの耐熱温度は約９５℃とされている。
また、第２処理部１０ｂが有するＲＯ膜として、ポリアミドや三酢酸セルロースを膜素材として用いる構成を採用することができる。この場合、第２処理部１０ｂの耐熱温度は約４５℃とされている。
このように、第１処理部１０ａの耐熱温度と第２処理部１０ｂの耐熱温度とが同程度の場合もあれば、第１処理部１０ａの耐熱温度が第２処理部１０ｂの耐熱温度よりも高い場合もある。
【００３０】
更に、上述したような第１処理部１０ａの前処理膜及び第２処理部１０ｂのＲＯ膜の透過水量は、水温によって変化し、耐熱温度以下の範囲内で水温が高いほど、膜面積当たりの透過水量が多くなる。つまり、透過水量が同等の場合は透過圧力が低下し、排水を流すための加圧ポンプの動力が削減できる。
【００３１】
浄化処理部１０での浄化処理により得られる相対的に清浄な逆浸透膜透過水は、後述するようにリサイクル水流路３へと供給される。これに対して、ＲＯ膜を透過していない排水（所謂、濃縮水）は、浄化処理部１０よりも下流側の排水流路２へと排出される。
【００３２】
リサイクル水流路３は、浄化処理部１０での浄化処理により得られる逆浸透膜透過水が被利用水としてリサイクルされ、被利用水提供部１５を経由して水利用部４に供給されるときに流れる流路である。つまり、リサイクル水流路３は、被利用水流路１の一部として機能する。本実施形態では、リサイクル水流路３の途中には、逆浸透膜透過水が一時的に貯えられる処理水槽１２が設けられる。
【００３３】
リサイクル水流路３の途中には、逆浸透膜透過水と排水との間での熱交換を行う熱交換部９が設けられている。熱交換部９は、被利用水提供部１５に供給される前のリサイクル水流路３を流れる被利用水としての逆浸透膜透過水と、第２処理部１０ｂよりも上流側の排水流路２を流れる排水（特に、本実施形態では、第１処理部１０ａ及び第２処理部１０ｂよりも上流側の排水流路２を流れる排水）との間で熱交換を行う。
【００３４】
水利用部４に対して被利用水を提供する被利用水提供部１５は、被利用水流路１の一部である第１流路１Ａから供給される被利用水及び被利用水流路１の一部である第２流路１Ｂとしてのリサイクル水流路３から供給される被利用水が混合された状態で貯えられる受槽５と、受槽５に貯えられている被利用水が低温水利用部４ａへ供給されるときに通る低温側流路１ａと、受槽５に貯えられている被利用水が高温水利用部４ｂへ供給されるときに通る高温側流路１ｂと、高温側流路１ｂの途中に設けられて被利用水を昇温させる昇温部６と、リサイクル水流路３から供給される被利用水が受槽５を迂回して昇温部６よりも上流側の高温側流路１ｂへ加えられるときに通るバイパス流路１ｃとを有する。
【００３５】
水利用部４の高温水利用部４ｂに供給される被利用水は、昇温部６で昇温された被利用水である。例えば、昇温部６として、蒸気発生部と熱交換器とを有する装置を用いることができる。この場合、熱交換器では、蒸気発生部で発生された水蒸気と、高温側流路１ｂを流れる被利用水とが熱交換することで、高温側流路１ｂを流れる被利用水の昇温が行われる。つまり、この例では、昇温部６において、エネルギーを消費して水蒸気を発生させ、高温側流路１ｂを流れる被利用水の昇温を行っている。上述した例であれば、昇温部６は、被利用水を約９５℃程度に昇温して、高温水利用部４ｂへと供給する。
これに対して、水利用部４の低温水利用部４ａに供給される被利用水は、受槽５に貯えられている水である。この受槽５に貯えられている被利用水の温度は、被利用水流路１の一部である第１流路１Ａから受槽５に対して補給される井水等の温度と、被利用水流路１の一部である第２流路１Ｂとしてのリサイクル水流路３から受槽５に対して供給される被利用水（逆浸透膜透過水）の温度によって決まる。
【００３６】
このように、第１流路１Ａから供給される被利用水と第２流路１Ｂ（リサイクル水流路３）から供給される被利用水（浄化処理部１０で浄化処理された後の逆浸透膜透過水）とが受槽５で一時的に貯えられた上で、低温側流路１ａ及び高温側流路１ｂを介して水利用部４へと供給される。つまり、リサイクル水流路３から帰還する被利用水がある場合には、その被利用水を有効に再利用することができ、且つ、リサイクル水流路３から帰還する被利用水がない場合であっても、第１流路１Ａから供給される被利用水を水利用部４へと供給することができる。
【００３７】
図１に示した例では、受槽５から出た被利用水流路１は、分岐部分に設けられる分配弁７において、低温水利用部４ａに至る低温側流路１ａと、高温水利用部４ｂに至る高温側流路１ｂとに分岐される。また、リサイクル水流路３の途中に三方弁８が設けられ、リサイクル水流路３を流れる逆浸透膜透過水はこの三方弁８へ到達する。三方弁８からは、受槽５に至る流路（リサイクル水流路３）と、高温側流路１ｂに至る流路（バイパス流路１ｃ）とに分岐する。従って、制御部Ｃは、三方弁８の動作を制御して、逆浸透膜透過水が受槽５に供給される状態と、逆浸透膜透過水が受槽５を経由せずに昇温部６へと直接供給される状態との何れかに切り替えることができる。
【００３８】
以下に、「低温水利用部４ａでの低温水の要求あり、高温水利用部４ｂでの高温水の要求なし」の場合、「低温水利用部４ａでの低温水の要求あり、高温水利用部４ｂでの高温水の要求あり」の場合、「低温水利用部４ａでの低温水の要求なし、高温水利用部４ｂでの高温水の要求あり」の場合のそれぞれについて、制御部Ｃが、分配弁７及び三方弁８及び昇温部６をどのように制御するのかの例を説明する。
【００３９】
〔低温水の要求あり、高温水の要求なし〕
低温水利用部４ａで低温水が要求され、高温水利用部４ｂで高温水が要求されていないとき、制御部Ｃは、分配弁７を、被利用水が低温側流路１ａに供給され、被利用水が高温側流路１ｂに供給されない状態に切り替える。これにより、低温水利用部４ａには、受槽５に貯えられている相対的に低温の被利用水が供給される。また、制御部Ｃは、リサイクル水流路３を流れて帰還してくる逆浸透膜透過水の全量が受槽５に供給されるように三方弁８を切り替える。
【００４０】
〔低温水の要求あり、高温水の要求あり〕
低温水利用部４ａで低温水が要求され、高温水利用部４ｂで高温水が要求されているとき、制御部Ｃは、分配弁７を、被利用水が低温側流路１ａに供給され、被利用水が高温側流路１ｂに供給される状態に切り替える。加えて、制御部Ｃは、昇温部６を動作させて、高温側流路１ｂを流れる被利用水を昇温する。これにより、低温水利用部４ａには、受槽５に貯えられている相対的に低温の被利用水が供給され、高温水利用部４ｂには、受槽５に貯えられている相対的に低温の被利用水が昇温部６で昇温された後の高温の被利用水が供給される。また、制御部Ｃは、リサイクル水流路３を流れて被利用水提供部１５へと帰還してくる逆浸透膜透過水の全量が受槽５に供給されるように三方弁８を切り替える。
【００４１】
尚、制御部Ｃは、リサイクル水流路３を流れて被利用水提供部１５へと帰還してくる逆浸透膜透過水の温度が、受槽５からその下流側の被利用水流路１へと流出する被利用水の温度よりも高いとき、リサイクル水流路３を流れて被利用水提供部１５へと帰還してくる逆浸透膜透過水の全量がバイパス流路１ｃに供給されるように三方弁８を切り替える。例えば、制御部Ｃは、三方弁８よりも上流側のリサイクル水流路３に設けられる温度センサＴ１で測定される温度により、リサイクル水流路３を流れて被利用水提供部１５へと帰還してくる逆浸透膜透過水の温度を知ることができる。また、制御部Ｃは、受槽５に貯えられている被利用水の温度を測定する温度センサＴ２で測定される温度により、受槽５からその下流側の被利用水流路１へと流出する被利用水の温度を知ることができる。更に、制御部Ｃは、バイパス流路１ｃを介して昇温部６に供給される水量が、高温水利用部４ｂで必要な水量に満たない場合には、その不足する分の被利用水を分配弁７から高温側流路１ｂへと供給する。
制御部Ｃが上述のような制御を行うことで、昇温部６に供給される被利用水の温度は、被利用水の全量が受槽５から供給されるときの被利用水の温度よりも高くなる。その結果、昇温部６で被利用水を所定の温度にまで昇温するために要するエネルギーを削減できる。
【００４２】
〔低温水の要求なし、高温水の要求あり〕
低温水利用部４ａで低温水が要求されておらず、高温水利用部４ｂで高温水が要求されているとき、制御部Ｃは、分配弁７を、被利用水が低温側流路１ａに供給されず、被利用水が高温側流路１ｂに供給される状態に切り替える。加えて、制御部Ｃは、昇温部６を動作させて、高温側流路１ｂを流れる被利用水を昇温する。これにより、高温水利用部４ｂには、受槽５に貯えられている相対的に低温の被利用水が昇温部６で昇温された後の高温の被利用水が供給される。また、制御部Ｃは、リサイクル水流路３を流れて被利用水提供部１５へと帰還してくる逆浸透膜透過水の全量が受槽５に供給されるように三方弁８を切り替える。
【００４３】
加えて、上述した例と同様に、制御部Ｃは、リサイクル水流路３を流れて被利用水提供部１５へと帰還してくる逆浸透膜透過水の温度が、受槽５からその下流側の被利用水流路１へと流出する被利用水の温度よりも高いとき、リサイクル水流路３を流れて被利用水提供部１５へと帰還してくる逆浸透膜透過水の全量がバイパス流路１ｃに供給されるように三方弁８を切り替える。つまり、リサイクル水流路３から供給される逆浸透膜透過水（被利用水）は、バイパス流路１ｃを通ると、第１流路１Ａから供給される被利用水と受槽５で混合されることなく、リサイクル水流路３から供給されたときの温度のままで、昇温部６よりも上流側の高温側流路１ｂへ加えられる。更に、制御部Ｃは、バイパス流路１ｃを介して昇温部６に供給される水量が、高温水利用部４ｂで必要な水量に満たない場合には、その不足する分の被利用水を分配弁７から高温側流路１ｂへと供給する。
【００４４】
以上のような構成により、水利用部４での需要に適した温度の被利用水を水利用部４での利用のために提供することができる。そして、水利用部４で利用された後の被利用水は、排水流路２を通して排出される。本実施形態では、低温水利用部４ａからは低温側排水流路２ａを介して排水が流れ出し、高温水利用部４ｂからは高温側排水流路２ｂを介して排水が流れ出す。その後、低温側排水流路２ａと高温側排水流路２ｂとは合流して一つの排水流路２となる。
【００４５】
本実施形態では、浄化処理部１０よりも上流側の排水流路２の途中には熱交換部９が設けられている。この熱交換部９で、被利用水提供部１５に供給される前のリサイクル水流路３を流れる被利用水としての逆浸透膜透過水と、第２処理部１０ｂよりも上流側（本実施形態では、第１処理部１０ａ及び第２処理部１０ｂよりも上流側）の排水流路２を流れる排水との間で熱交換が行われる。このような熱交換が行われることで、水利用部４からの排水が保有していた熱が、リサイクル水流路３を流れる逆浸透膜透過水へと渡されることになる。つまり、浄化処理部１０に供給される排水の温度を低下させることができるので、浄化処理部１０が有する前処理膜やＲＯ膜などが熱により故障するといった問題の発生を抑制できる。
更に、この熱交換部９において、被利用水提供部１５に供給される前のリサイクル水流路３を流れる被利用水としての逆浸透膜透過水の温度を高めることができる。その結果、昇温部６で被利用水を所定の温度にまで昇温するために要するエネルギーを削減できる。
【００４６】
尚、浄化処理部１０よりも上流側の排水流路２を流れる排水の温度が、被利用水提供部１５に供給される前のリサイクル水流路３を流れる被利用水としての逆浸透膜透過水の温度よりも低い場合、熱交換部９において両者の熱交換を行ってしまうと、本来は低い温度にしておきたい排水の温度がより高くなり、本来は高い温度にしておきたい逆浸透膜透過水の温度がより低くなってしまうという問題が発生し得る。そのような問題を回避するために、本実施形態の排水リサイクルシステムは、リサイクル水流路３の途中に、浄化処理部１０での浄化処理により得られる逆浸透膜透過水が、熱交換部９を迂回して被利用水提供部１５に供給されるときに通る熱交換迂回路１４を備える。図１に示した例では、リサイクル水流路３の途中に三方弁１３を設け、その三方弁１３において、リサイクル水流路３から熱交換迂回路１４が分岐する。そして、熱交換迂回路１４は、熱交換部９よりも下流側のリサイクル水流路３へと合流する。その結果、熱交換迂回路１４を流れた逆浸透膜透過水は、熱交換部９を経由せずに被利用水提供部１５へと供給されることになる。
【００４７】
この場合、制御部Ｃは、浄化処理部１０よりも上流側の排水流路２を流れる排水の温度（図１の温度センサＴ４で測定される温度）が、被利用水提供部１５に供給される前のリサイクル水流路３を流れる被利用水としての逆浸透膜透過水の温度（図１の温度センサＴ３で測定される温度）よりも低い場合、逆浸透膜透過水が熱交換迂回路１４を流れるように三方弁１３を切り替える。つまり、熱交換部９に流入する逆浸透膜透過水（被利用水）の温度が、熱交換部９に流入する排水の温度よりも高いとき、熱交換部９を迂回して（即ち、冷却されずに）、逆浸透膜透過水（被利用水）を被利用水提供部１５へと供給することが可能となる。このような制御を行うことで、排水の温度を低いまま維持することができ、逆浸透膜透過水の温度を高いまま維持することができる。
【００４８】
以上のように、本実施形態の排水リサイクルシステムでは、熱交換部９において、少なくともＲＯ膜を用いる第２処理部１０ｂよりも上流側の排水流路２を流れる排水と、被利用水提供部１５に供給される前のリサイクル水流路３を流れる逆浸透膜透過水（被利用水）との間での熱交換が行われる。つまり、水利用部４で利用された後の排水の温度が高い場合であっても、その排水は、少なくともＲＯ膜を用いる第２処理部１０ｂでの浄化処理に供される前に、この熱交換部９で冷却される（即ち、リサイクル水流路３を流れる逆浸透膜透過水（被利用水）へと熱が渡される）ことになる。その結果、少なくともＲＯ膜を用いる第２処理部１０ｂへは、温度が低下された後の排水が供給されることになるため、ＲＯ膜が正常に機能することを期待できる。更に、水利用部４で利用された後の排水が保有していた熱は、熱交換部９において廃棄されるのではなく、リサイクル水流路３を流れる逆浸透膜透過水（被利用水）へと渡される。言い換えると、リサイクル水流路３を流れる逆浸透膜透過水（被利用水）は、この熱交換部９で予熱された上で被利用水提供部１５へと供給される。その結果、その逆浸透膜透過水（被利用水）を、被利用水提供部１５の昇温部６で昇温するときに要するエネルギーを小さくすることができる。
【００４９】
＜第２実施形態＞
第２実施形態の排水リサイクルシステムは、排水流路２の途中に冷却部１６を更に備えている点で上記実施形態と異なっている。以下に第２実施形態の排水リサイクルシステムについて説明するが、上記実施形態と同様の構成については説明を省略する。
【００５０】
図２は第２実施形態の排水リサイクルシステムの構成を示す図である。
図示するように、排水リサイクルシステムは、排水流路２の途中の、熱交換部９よりも下流側であり且つ第２処理部１０ｂよりも上流側に、排水を冷却する冷却部１６を備える。特に、本実施形態では、冷却部１６は、第１処理部１０ａ及び第２処理部１０ｂよりも上流側の排水流路２の途中に設けられている。この冷却部１６は、相対的に低温の気体で排水を冷却する空冷式の装置や、相対的に低温の液体で排水を冷却する水冷式の装置などを用いて構成される。このような冷却部１６を排水流路２の途中に設けておくことで、第１処理部１０ａ及び第２処理部１０ｂに流入する排水の温度を更に低温にすることができる。その結果、第１処理部１０ａ及び第２処理部１０ｂの耐熱温度が低くても、その耐熱温度よりも低い排水の処理を第１処理部１０ａ及び第２処理部１０ｂに行わせることができ、第１処理部１０ａ及び第２処理部１０ｂが熱によって故障するなどの問題の発生を回避できる。
【００５１】
尚、冷却部１６は常時動作させていなくてもよい。つまり、制御部Ｃは、冷却部１６に流入するときの排水の温度を測定し、その温度が浄化処理部１０の耐熱温度（例えば、４０℃）より高ければ冷却部１６を動作させ、その温度が浄化処理部１０の耐熱温度（例えば、４０℃）より高ければ冷却部１６を動作させないといった制御を行うことができる。
【００５２】
＜第３実施形態＞
第３実施形態の排水リサイクルシステムは、冷却部１６の構成、及び、被利用水流路１の第１流路１Ａを流れる被利用水が排水からの熱回収を行う点で上記実施形態と異なっている。以下に第３実施形態の排水リサイクルシステムについて説明するが、上記実施形態と同様の構成については説明を省略する。
【００５３】
図３は、第３実施形態の排水リサイクルシステムの構成を示す図である。図示するように、被利用水流路１の第１流路１Ａを流れる被利用水は、熱回収部１８及び熱交換器１７を順に通流した後で被利用水提供部１５に供給される。
【００５４】
熱回収部１８は、被利用水提供部１５に供給される前の被利用水流路１の第１流路１Ａを流れる被利用水と、浄化処理部１０よりも下流側の排水流路２を流れる排水との間で熱交換を行うことで、当該排水からの熱回収を行う。つまり、浄化処理部１０よりも下流側の排水流路２を流れる排水（濃縮水）が保有していた熱は廃棄されるのではなく、熱回収部１８において、被利用水提供部１５に供給される前の被利用水流路１の第１流路１Ａを流れる被利用水に渡される。そして、熱を受け取った、被利用水流路１の第１流路１Ａを流れる被利用水は受槽５に供給され、必要に応じて水利用部４で利用されることになる。その結果、浄化処理部１０よりも下流側の排水流路２を流れる排水が保有していた熱を有効に利用することができる。
【００５５】
熱交換器１７は、第２実施形態で説明した冷却部１６としての機能を果たす機器であり、被利用水提供部１５に供給される前の被利用水流路１の第１流路１Ａを流れる被利用水と、排水流路２を流れる排水との間で熱交換を行うことで、排水を冷却する。このような冷却部１６を排水流路２の途中に設けておくことで、第１処理部１０ａ及び第２処理部１０ｂに流入する排水の温度を更に低温にすることができる。その結果、第１処理部１０ａ及び第２処理部１０ｂの耐熱温度が低くても、その耐熱温度よりも低い排水の処理を第１処理部１０ａ及び第２処理部１０ｂに行わせることができ、第１処理部１０ａ及び第２処理部１０ｂが熱によって故障するなどの問題の発生を回避できる。更に、本実施形態では、この熱交換器１７において、排水流路２を流れる排水が保有していた熱が、被利用水提供部１５に供給される前の被利用水流路１の第１流路１Ａを流れる被利用水に渡されるため、上述したのと同様に、排水が保有していた熱を有効に利用することができる。
【００５６】
＜第４実施形態＞
第４実施形態の排水リサイクルシステムは、浄化処理部１０の第１処理部１０ａ及び第２処理部１０ｂと、熱交換部９との位置関係などが上記実施形態と異なっている。以下に第４実施形態の排水リサイクルシステムの構成について説明するが、上記実施形態と同様の構成については説明を省略する。
【００５７】
図４は、第４実施形態の排水リサイクルシステムの構成を示す図である。
上記第１実施形態で説明したように、第１処理部１０ａが有する前処理膜として、第１処理部１０ａの耐熱温度が約９５℃とされるような膜素材が採用され、第２処理部１０ｂが有するＲＯ膜として、第２処理部１０ｂの耐熱温度が約４５℃とされるような膜素材が採用されることがある。この場合、浄化処理部１０の第１処理部１０ａの耐熱温度は第２処理部１０ｂの耐熱温度よりも高くなり、図４に示したような装置構成が有効になる。
【００５８】
具体的には、図４に示すように、熱交換部９は、第１処理部１０ａよりも下流側であり且つ第２処理部１０ｂよりも上流側の排水流路２を流れる排水と、被利用水提供部１５に供給される前のリサイクル水流路３を流れる被利用水としての逆浸透膜透過水との間で熱交換を行う位置に設けられている。その結果、水利用部４で利用された後の排水は、第１処理部１０ａで浄化処理された後で熱交換部９での熱交換に供され、更に第２処理部１０ｂでの浄化処理に供される。つまり、水利用部４で利用された後の排水の温度が高い場合であっても、その排水は、ＲＯ膜を用いる第２処理部１０ｂでの浄化処理に供される前に、熱交換部９で冷却されることになる。この場合、第１処理部１０ａに供給される排水は、熱交換部９で冷却される前の排水であるが、第１処理部１０ａの耐熱温度は第２処理部１０ｂの耐熱温度よりも高いため、第１処理部１０ａが熱によって悪影響を受ける可能性は相対的に低い。更に、前処理膜は、通常、温度が高くなるにつれて水の粘度の影響により浄化処理性能が向上する（例えば、膜面積当たりの透過水量が多くなる）ので、排水を冷却せずに第１処理部１０ａに供給することで、第１処理部１０ａでの浄化処理性能が向上することを期待できる。
【００５９】
加えて、冷却部１６としての熱交換器１７も、第１処理部１０ａよりも下流側であり且つ第２処理部１０ｂよりも上流側の排水流路２を流れる排水と、被利用水提供部１５に供給される前の被利用水流路１の第１流路１Ａを流れる被利用水との間で熱交換を行う位置に設けられている。その結果、排水を冷却する冷却部１６を、第１処理部１０ａよりも下流側であり且つ第２処理部１０ｂよりも上流側に備えることで、第２処理部１０ｂに供給される排水をより確実に冷却することができる。
【００６０】
＜別実施形態＞
＜１＞
上記実施形態において、被利用水流路１及び排水流路２の途中に様々な機器が設けられたシステム構成例を説明したが、各機器の設置態様などは適宜変更可能である。
例えば、図３に示したシステムにおいて、熱回収部１８を設けないような変更や、熱交換器１７を設けないような変更も可能である。
また、図４に示したシステムにおいて、図３に示したような熱回収部１８を追加で設けてもよい。即ち、図４に示したシステムが、被利用水提供部１５に供給される前の被利用水流路１の第１流路１Ａを流れる被利用水と、浄化処理部１０よりも下流側の排水流路２を流れる排水（濃縮水）との間で熱交換を行うことで、当該排水からの熱回収を行う熱回収部１８を備えるような変更も可能である。
【００６１】
＜２＞
上記実施形態において、第１処理部１０ａが有する前処理膜及び第２処理部１０ｂが有するＲＯ膜の耐熱温度について具体的な数値を挙げて説明したが、それらの数値は上述した例と異なる場合もある。
【産業上の利用可能性】
【００６２】
本発明は、排水を浄化処理した後で再利用するリサイクルシステムに利用できる。
【符号の説明】
【００６３】
１  被利用水流路
１ａ  低温側流路
１ｂ  高温側流路
１ｃ  バイパス流路
１Ａ  第１流路
１Ｂ  第２流路
２  排水流路
２ａ  低温側排水流路
２ｂ  高温側排水流路
３  リサイクル水流路
４  水利用部
４ａ  低温水利用部
４ｂ  高温水利用部
５  受槽
６  昇温部
７  分配弁
８  三方弁
９  熱交換器
１０  浄化処理部
１０ａ  第１処理部
１０ｂ  第２処理部
１２  処理水槽
１３  三方弁
１４  熱交換迂回路
１５  被利用水提供部
１６  冷却部
１７  熱交換器
１８  熱回収部
Ｃ  制御部
【図１】
0006280860.tif 000002
【図２】
0006280860.tif 000003
【図３】
0006280860.tif 000004
【図４】
0006280860.tif 000005